【手続補正書】
【提出日】平成24年2月8日(2012.2.8)
【手続補正１】
【補正対象書類名】明細書
【補正対象項目名】００１２
【補正方法】変更
【補正の内容】
【００１２】
上記目的を達成するために、本発明の画像処理装置は、原稿の画像を読み取る読取部を備え、情報処理装置と通信可能な画像処理装置であって、前記情報処理装置を示す識別情報を表示する第１の表示手段と、スキャン設定を特定するための複数のスキャン設定特定情報を表示する第２の表示手段と、前記第１の表示手段に表示された識別情報が選択され、前記第２の表示手段に表示された複数のスキャン設定特定情報の中から何れかのスキャン設定特定情報が選択された場合に、当該選択されたスキャン設定特定情報とスキャン実行指示を、前記情報処理装置へ送信する第１の送信手段と、前記スキャン実行指示に応じて前記情報処理装置から送信された読取開始指示であって前記選択されたスキャン設定特定情報によって特定されたスキャン設定を含んだ読み取り開始指示を受信する受信手段と、前記受信手段が読み取り開始指示を受信した場合、前記読み取り開始指示に含まれたスキャン設定に従って前記読取部による原稿の画像の読取処理を実行させる読取制御手段と、前記読取部により読み取られた原稿の画像データを前記情報処理装置に送信する第２の送信手段と、を備えることを特徴とする。
【手続補正２】
【補正対象書類名】明細書
【補正対象項目名】００３６
【補正方法】変更
【補正の内容】
【００３６】
ＬＣＤ制御部１３０は、種々の設定や処理状況等を表示部１３５に表示するための表示制御を司るユニットである。ＵＳＢインタフェース１４０，１４５は、周辺の機器との接続を可能にするインタフェース部である。ＭＡＣ（メディアアクセス）制御部１６０は、接続機器に対してデータをどのタイミングで送出すればよいか等を制御するユニットであり、ＬＡＮ１０５等を介して他の機器（ホストＰＣ１０３やクライアントＰＣ１０４等）と通信する場合にも使用される。ＣＰＵ１８０は、ＭＦＰ１０１全体の制御を司る。
【手続補正３】
【補正対象書類名】明細書
【補正対象項目名】００７９
【補正方法】変更
【補正の内容】
【００７９】
尚、Ｓ９０３，Ｓ９０４，Ｓ９０６，Ｓ９０７，Ｓ９０９の処理は、それぞれ本実施形態における第１の表示手段、第１の確定手段、第２の表示手段、第２の確定手段、第１の送信手段の一例である。
【手続補正４】
【補正対象書類名】特許請求の範囲
【補正対象項目名】全文
【補正方法】変更
【補正の内容】
【特許請求の範囲】
【請求項１】
原稿の画像を読み取る読取部を備え、情報処理装置と通信可能な画像処理装置であって、
前記情報処理装置を示す識別情報を表示する第１の表示手段と、
スキャン設定を特定するための複数のスキャン設定特定情報を表示する第２の表示手段と、
前記第１の表示手段に表示された識別情報が選択され、前記第２の表示手段に表示された複数のスキャン設定特定情報の中から何れかのスキャン設定特定情報が選択された場合に、当該選択されたスキャン設定特定情報とスキャン実行指示を、前記情報処理装置へ送信する第１の送信手段と、
前記スキャン実行指示に応じて前記情報処理装置から送信された読取開始指示であって前記選択されたスキャン設定特定情報によって特定されたスキャン設定を含んだ読み取り開始指示を受信する受信手段と、
前記受信手段が読み取り開始指示を受信した場合、前記読み取り開始指示に含まれたスキャン設定に従って前記読取部による原稿の画像の読取処理を実行させる読取制御手段と、
前記読取部により読み取られた原稿の画像データを前記情報処理装置に送信する第２の送信手段と、
を備えることを特徴とする画像処理装置。
【請求項２】
前記第１の表示手段は、複数の情報処理装置それぞれから送信された各情報処理装置の識別情報を表示し、
前記第２の表示手段は、前記第１の表示手段によって表示された識別情報の中から選択された識別情報が示す情報処理装置から送信された複数のスキャン設定特定情報を表示することを特徴とする請求項１に記載の画像処理装置。
【請求項３】
前記情報処理装置から送信されたスキャン設定特定情報を保存する保存手段と、前記情報処理装置から定期的に送信されるスキャン設定特定情報に基づいて、前記保存手段に保存されるスキャン設定特定情報を変更する変更手段を更に有することを特徴とする請求項２に記載の画像処理装置。
【請求項４】
前記情報処理装置から所定の時間の間にスキャン設定特定情報が送信されなかった場合、前記保存手段に保存されているスキャン設定特定情報を削除する削除手段を更に有することを特徴とする請求項３記載の画像処理装置。
【請求項５】
前記スキャン設定特定情報は、前記情報処理装置において予め設定されたスキャン設定を特定するための特定情報であることを特徴とする請求項１乃至４の何れか１項に記載の画像処理装置。
【請求項６】
前記スキャン設定特定情報は、スキャン設定の内容を示す名称であることを特徴とする請求項１乃至５の何れか１項に記載の画像処理装置。
【請求項７】
原稿の画像を読み取る読取部を備え、情報処理装置と通信可能な画像処理装置の制御方法であって、
前記情報処理装置を示す識別情報を表示する第１の表示ステップと、
スキャン設定を特定するための複数のスキャン設定特定情報を表示する第２の表示ステップと、
前記第１の表示ステップに表示された識別情報が選択され、前記第２の表示ステップに表示された複数のスキャン設定特定情報の中から何れかのスキャン設定特定情報が選択された場合に、当該選択されたスキャン設定特定情報とスキャン実行指示を、前記情報処理装置へ送信する第１の送信ステップと、
前記スキャン実行指示に応じて前記情報処理装置から送信された読取開始指示であって前記選択されたスキャン設定特定情報によって特定されたスキャン設定を含んだ読み取り開始指示を受信する受信ステップと、
前記受信ステップが読み取り開始指示を受信した場合、前記読み取り開始指示に含まれたスキャン設定に従って前記読取部による原稿の画像の読取処理を実行させる読取制御ステップと、
前記読取部により読み取られた原稿の画像データを前記情報処理装置に送信する第２の送信ステップと、
を備えることを特徴とする画像処理装置の制御方法。
【請求項８】
原稿の画像を読み取る読取部を備え、情報処理装置と通信可能な画像処理装置を制御するプログラムであって、
前記情報処理装置を示す識別情報を表示する第１の表示ステップと、
スキャン設定を特定するための複数のスキャン設定特定情報を表示する第２の表示ステップと、
前記第１の表示ステップに表示された識別情報が選択され、前記第２の表示ステップに表示された複数のスキャン設定特定情報の中から何れかのスキャン設定特定情報が選択された場合に、当該選択されたスキャン設定特定情報とスキャン実行指示を、前記情報処理装置へ送信する第１の送信ステップと、
前記スキャン実行指示に応じて前記情報処理装置から送信された読取開始指示であって前記選択されたスキャン設定特定情報によって特定されたスキャン設定を含んだ読み取り開始指示を受信する受信ステップと、
前記受信ステップが読み取り開始指示を受信した場合、前記読み取り開始指示に含まれたスキャン設定に従って前記読取部による原稿の画像の読取処理を実行させる読取制御ステップと、
前記読取部により読み取られた原稿の画像データを前記情報処理装置に送信する第２の送信ステップと、をコンピュータに実行させることを特徴とするプログラム。
【手続補正５】
【補正対象書類名】図面
【補正対象項目名】図２
【補正方法】変更
【補正の内容】
【図２】
2010187089.tif 000001